(57)【特許請求の範囲】
【請求項１】
搬送ガイドによりガイドして非接触通信体を搬送し、当該非接触通信体を接近させて当該非接触通信体との間で通信を行う非接触読取書込部を有する非接触読取書込装置において、
非接触読取書込部を置く固定用台の高さを段階的に変える高さ調節手段を備え、
前記高さ調節手段は、複数段の固定用台と当該複数段の固定用台上部にそれぞれスリットを備えた支柱と、当該スリットに両端部を差し込んで前記非接触読取書込部を押さえて固定する固定用部材とからなり、前記非接触通信体と前記非接触読取書込部との距離を段階的に調節して設定できるようにしたことを特徴とする非接触読取書込装置。
【請求項２】
搬送ガイドによりガイドして非接触通信体を搬送し、当該非接触通信体を接近させて当該非接触通信体との間で通信を行う非接触読取書込部を有する非接触読取書込装置において、
非接触読取書込部を置く固定用台の高さを段階的に変える高さ調節手段を備え、
前記高さ調節手段は、一端に落下防止の爪部と固定用台の自重による回動を止める爪部を備えた固定用台と、前記落下防止の爪部を引っ掛けて前記固定用台を支持する複数段の爪部を備えた固定用支柱とからなり、前記非接触通信体と前記非接触読取書込部との距離を段階的に調節して設定できるようにしたことを特徴とする非接触読取書込装置。
【請求項３】
搬送ガイドによりガイドして非接触通信体を搬送し、当該非接触通信体を接近させて当該非接触通信体との間で通信を行う非接触読取書込部を有する非接触読取書込装置において、
非接触通信体と非接触読取書込部との距離を段階的に変える高さ調節手段を備え、
前記高さ調節手段は、搬送ガイド上に置く所定の厚さの高さ調節部品からなり、前記高さ調節部品を重ねることで前記非接触通信体と前記非接触読取書込部との距離を段階的に調節して設定できるようにしたことを特徴とする非接触読取書込装置。
【請求項４】
前記高さ調節手段は、搬送ガイドと当該搬送ガイド上部にスリットを備えた支柱と、当該スリットに両端部を差し込んで前記非接触読取書込部を押さえて固定する固定用部材とをさらに備えたことを特徴とする請求項３記載の非接触読取書込装置。
【請求項５】
上下搬送ガイドによりガイドして非接触通信体を搬送し、当該非接触通信体を接近させて当該非接触通信体との間で通信を行う非接触読取書込部を有する非接触読取書込装置において、
非接触読取書込部を置く固定用台の高さを連続的に変える高さ調節手段を備え、
前記高さ調節手段は、ネジ孔を備えた固定用台と、スライド孔を備えた固定用支柱と、スライド孔と前記ネジ孔にて固定する高さ調節ネジとからなり、前記非接触通信体と前記非接触読取書込部との距離を連続的に調節して設定できるようにしたことを特徴とする非接触読取書込装置。
【請求項６】
前記高さ調節手段は、Ｕ字型の可撓性部材であって底部近傍に内側爪部をさらに備えたことを特徴とする請求項５記載の非接触読取書込装置。
【請求項７】
上下搬送ガイドによりガイドして非接触通信体を搬送し、当該非接触通信体を接近させて当該非接触通信体との間で通信を行う非接触読取書込部を有する非接触読取書込装置において、
非接触読取書込部を置く固定用台の高さを連続的に変える高さ調節手段を備え、
前記高さ調節手段は、複数段の固定用台と当該複数段の固定用台上部にスリットを備えた支柱と、当該スリットに両端部を差し込んで前記非接触読取書込部を押さえて固定する固定用部材と、前記搬送ガイドに設けた固定台に固定ネジにて固定される偏心した円筒形状の高さ調節部品とからなり、前記非接触通信体と前記非接触読取書込部との距離を連続的に調節して設定できるようにしたことを特徴とする非接触読取書込装置。
【発明の詳細な説明】
【技術分野】
【０００１】
本発明は非接触ＩＣカードや非接触ＩＣタグ（以下、「非接触通信体」という）との間でデータの送受信を行う非接触読取書込装置において通信感度を最適にできる構造に関するものである。
【背景技術】
【０００２】
一般に、非接触ＩＣカードリーダライタ等の非接触読取書込装置は、制御回路とアンテナ基板とからなる非接触読取書込部を備え、制御回路からの情報をアンテナ基板から電磁波を発することにより近接する非接触ＩＣカードとの間でデータの送受信を行い、非接触ＩＣカードからのデータの読取りまたは非接触ＩＣカードへのデータの書込みを行うようになっている。
【０００３】
そして、最適な通信感度が得られるアンテナ基板と非接触ＩＣカードとの距離は非接触ＩＣカードの感度により異なるため、非接触ＩＣカードリーダライタ、すなわちアンテナ基板を上下振動させアンテナ基板と非接触ＩＣカードの距離を変化させる技術、非接触ＩＣカードの搬送路を傾斜させ搬送中にアンテナ基板と非接触ＩＣカードとの距離を変化させる技術、アンテナ基板の出力を変化させる技術はあった（例えば、特許文献１参照）。
【先行技術文献】
【特許文献】
【０００４】
【特許文献１】特開２００７−１８３５７号公報
【発明の概要】
【発明が解決しようとする課題】
【０００５】
しかしながら、上記従来の非接触読取書込装置では、搬送路を斜めにする場合では装置が大型化し、アンテナ基板を上下振動させる場合では駆動部やその制御手段が必要となりコストも高くなりさらに駆動部が発するノイズが通信に影響を与えてしまい、アンテナ基板の出力レベルを変化させる場合でも出力部やその制御手段が必要となりコスト高となってしまうという問題があった。また、通信途中に通信距離や出力レベルが変化するため通信が安定しないという問題もあった。
【課題を解決するための手段】
【０００６】
本発明は、前述の課題を解決するため次の構成を採用する。すなわち、上下搬送ガイドによりガイドして非接触通信体を搬送し、当該非接触通信体を接近させて当該非接触通信体との間で通信を行う非接触読取書込部を有する非接触読取書込装置において、非接触読取書込部を置く固定用台の高さを段階的に変える高さ調節手段を備え、前記高さ調節手段は、複数段の固定用台と当該複数段の固定用台上部にそれぞれスリットを備えた支柱と、当該スリットに両端部を差し込んで前記非接触読取書込部を押さえて固定する固定用部材とからなり、前記非接触通信体と前記非接触読取書込部との距離を段階的に調節して設定できるようにした。
【発明の効果】
【０００７】
本発明の非接触読取書込装置によれば、上下搬送ガイドによりガイドして非接触通信体を搬送し、当該非接触通信体を接近させて当該非接触通信体との間で通信を行う非接触読取書込部を有する非接触読取書込装置において、非接触読取書込部を置く固定用台の高さを段階的に変える高さ調節手段を備え、前記高さ調節手段により前記非接触通信体と前記非接触読取書込部との距離を段階的に調節して設定できるようにしたので、感度が異なる非接触通信体であっても最適な通信距離にて安定した通信を行うことができ、かつ小型化、低コスト化および低ノイズ化が可能となる。
【図面の簡単な説明】
【０００８】
【図１】実施例１の非接触読取書込装置の構成図である。
【図２】実施例１の非接触読取書込装置の構成図である。
【図３】実施例１の非接触読取書込装置の構成図である。
【図４】実施例２の非接触読取書込装置の構成図である。
【図５】実施例２の非接触読取書込装置の構成図である。
【図６】実施例３の非接触読取書込装置の構成図である。
【図７】実施例４の非接触読取書込装置の構成図である。
【図８】実施例５の非接触読取書込装置の構成図である。
【図９】実施例５の非接触読取書込装置の動作説明図である。
【図１０】実施例６の非接触読取書込装置の構成図である。
【発明を実施するための形態】
【０００９】
以下、本発明に係わる実施の形態例を図面を用いて説明する。図面に共通する要素には同一の符号を付す。なお、以下の実施例の説明では、非接触ＩＣカードの読取書込装置を例として説明するが、非接触ＩＣタグの読取書込装置であってもよい
【実施例１】
【００１０】
（構成）
図１ないし図３は、実施例１の非接触読取書込装置の構成図を示す。同図に示したように、実施例１の非接触読取書込装置１００は、図２、図３の矢印Ａのように装置前面より挿入される非接触ＩＣカード１の搬送をガイドする搬送ガイド２ａ、２ｂと、非接触ＩＣカード１を搬送する搬送ローラ３と、搬送ガイド２ａ上に設けられ矢印Ｅｖのように電磁波を放射するアンテナ基板４と図示しない制御回路とからなる非接触読取書込部を置く数段のアンテナ基板固定用台５ａと、アンテナ基板固定用支柱５ｂとからなる。
【００１１】
そして、アンテナ基板固定用支柱５ｂのアンテナ基板固定用台５ａのそれぞれの上部には、アンテナ基板４を押えて固定するアンテナ基板固定用部品５ｂの両端を差し込むアンテナ基板固定用スリット５ｓが備えられている。
【００１２】
なお、アンテナ基板固定用部品５ｂは、図示したように可撓性を有した非金属のプラスチック板等により構成すればよい。
【００１３】
（動作）
以上の構成により実施例１の非接触読取書込装置は以下のように動作する。すなわち、非接触読取書込部、すなわちアンテナ基板４と図示しない制御回路を、非接触ＩＣカードの感度に応じた最適な距離Ｌａとなるいずれかのアンテナ基板固定用台５ａの上に置き、当該アンテナ基板固定用台５ａの上部のアンテナ基板固定用スリット５ｓにアンテナ固定部品６の両端を差し込んでアンテナ基板４を押さえつけて固定する。
【００１４】
図示した例では、アンテナ基板４を中段に置いた例を示しているが、感度が低い非接触ＩＣカード１のリードライトを行う場合は、下段のアンテナ基板固定台５ａにアンテナ基板４を置き、当該アンテナ基板固定台５ａの上部のアンテナ基板固定用スリット５ｓにアンテナ固定部品６の両端を差し込んでアンテナ基板４を押さえつけて固定することにより、アンテナ基板４から非接触ＩＣカード１との距離Ｌａを短くすることができ、データの送受信に必要な電磁波レベルとなり安定したデータの送受信を行うことができる。
【００１５】
一方、感度が高い非接触ＩＣカード１のリードライトを行う場合は、上段のアンテナ基板固定台５ａにアンテナ基板４を置き、当該アンテナ基板固定台５ａのアンテナ基板固定用スリット５ｓにアンテナ固定部品６の両端を差し込んでアンテナ基板４を押さえつけて固定することにより、アンテナ基板４から非接触ＩＣカード１との距離Ｌａが長くなり、最適な電磁波レベルとなり、安定したデータの送受信を行うことができる。
【００１６】
なお、以上の実施例の説明では、アンテナ基板固定用支柱５ｂのアンテナ基板固定用台５ａのそれぞれの上部にアンテナ基板固定用スリット５ｓを備え、アンテナ基板固定用部品５ｂの両端をアンテナ基板固定用スリット５ｓに差し込んでアンテナ基板４を押えて固定するように説明したが、上側より非金属のプラスチック製のバネ等の付勢手段によりアンテナ基板４を押えて固定するようにしてもよい。この場合、アンテナ基板固定用支柱５ｂにはアンテナ基板固定用スリット５ｓは備える必要がない。
【００１７】
（実施例１の効果）
以上のように実施例１の非接触読取書込装置によれば、上下搬送ガイドによりガイドして非接触ＩＣカードを搬送し、非接触ＩＣカードを接近させて非接触ＩＣカードとの間で通信を行うアンテナ基板を有する非接触読取書込装置において、アンテナ基板を置く複数段の固定用台と、当該複数段の固定用台上部にそれぞれスリットを備えた支柱と、当該スリットに両端部を差し込んでアンテナ基板を押さえて固定する固定用部材とを備え、非接触ＩＣカードとアンテナ基板との距離を段階的に調節して設定できるようにしたので、感度が異なる非接触ＩＣカードであっても適切な通信距離にて安定した通信を行うことができ、かつ小型化、低コスト化および低ノイズ化が可能となる。また、簡単な構成となっているので通信距離を調節して設定するときに工具を必要としない。
【実施例２】
【００１８】
（構成）
図４に実施例２の非接触読取書込装置の構成を示す。同図に示したように、実施例２の非接触読取書込装置１００は、内側爪部と外側爪部を備えたアンテナ基板固定用台１５ａと、前記外側爪部が引っ掛かる複数段の爪部を備えたアンテナ基板固定用支柱１５ｂとを備えた構成となっている。なお、アンテナ基板固定用台１５ａは、低コスト化および可撓性を有させるために成型品とするのがよい。その他の構成は実施例１の構成と同様であるので、簡略化のために詳細な説明は省略する。
【００１９】
（動作）
以上の構成により実施例２の非接触読取書込装置は以下のように動作する。すなわち、アンテナ基板固定用台１５ａ内側の爪部にアンテナ基板４を押し込んで図４のようにアンテナ基板固定用台１５ａの上に固定し、アンテナ基板固定用台１５ａの上部（破線ａ部）をつまむことにより、アンテナ基板固定用台１５ａの外側の爪部とアンテナ基板固定用支柱１５ｂの内側の爪部の引掛かり位置を変えアンテナ基板４の高さを非接触ＩＣカード１の感度に応じた適切な通信距離となるように調節して設定する。
【００２０】
なお、以上の実施例の説明では、アンテナ基板固定用台１５ａの内側爪部と外側爪部を左右両方に備え、アンテナ基板固定用支柱１５ｂにも前記外側爪部を引っ掛けてアンテナ基板固定用台１５ａを支持する複数段の爪部を左右両方に備えるように説明したが、図５に示したように、例えば、アンテナ基板固定用支柱１５ｂを右側のみに設けアンテナ基板固定用台１５ａの右端のみに爪部を設けて支持するようにしてもよいし、図示していないが、アンテナ基板固定用支柱１５ｂを左側のみに設けアンテナ基板固定用台１５ａの左端のみに爪部を設けて支持するようにしてもよい。
【００２１】
（実施例２の効果）
以上のように実施例２の非接触読取書込装置によれば、内側爪部と外側爪部を備え内側に可撓性を有するアンテナ基板固定用台と、前記外側爪部を引っ掛けてアンテナ基板固定用台を支持する複数段の爪部を備えたアンテナ基板固定用支柱とを備え、前記非接触ＩＣカードと前記アンテナ基板との距離を段階的に調節して設定できるようにしたので、実施例１の効果と同様に、感度が異なる非接触ＩＣカードであっても適切な通信距離にて安定した通信を行うことができ、かつ小型化、低コスト化および低ノイズ化が可能となる。また、簡単な構成となっているので通信距離を調節して設定するときに工具を必要としない。
【実施例３】
【００２２】
（構成）
図６に実施例３の非接触読取書込装置１００の構成を示す。同図に示したように、実施例２の非接触読取書込装置１００は、アンテナ基板固定用台３５ａに、アンテナ基板４を固定する爪部と、当該アンテナ基板４と非接触ＩＣカード１との距離Ｌａを調節できる高さ調節ネジ３７を具備した構成となっている。なお、アンテナ基板固定用台３５ａは、低コスト化および可撓性を有させるために成型品とするのがよい。その他の構成は実施例１の構成と同様であるので、簡略化のために詳細な説明は省略する。
【００２３】
（動作）
以上の構成により実施例３の非接触読取書込装置は以下のように動作する。すなわち、アンテナ基板４は、アンテナ基板固定用台３５ａの成型品の可撓性を利用した爪部によってアンテナ基板固定用台３５ａに固定され、成型アンテナ基板固定用台３５ａに取付けられた高さ調節ネジ３７を回すことによって高さ調節ネジ３７が搬送ガイド２ａ側に突出または戻り、アンテナ基板４と非接触ＩＣカード１との距離Ｌａを変化させることができる。
【００２４】
（実施例３の効果）
以上のように実施例３の非接触読取書込装置では、アンテナ基板を固定する爪部を備えたアンテナ基板固定用台と、固定されたアンテナ基板と非接触ＩＣカードとの距離を調節できる高さ調節ネジを具備し、アンテナ基板と非接触ＩＣカードとの距離を連続的に調節して設定できるようにしたので、実施例１の効果に加え、感度が異なる非接触ＩＣカードであっても最適な通信距離にて安定した通信を行うことができ、かつ小型化、低コスト化および低ノイズ化が可能となる。また、簡単な構成となっているので通信距離を調節して設定するときに工具を必要としない。
【実施例４】
【００２５】
（構成）
図７に実施例４の非接触読取書込装置１００の構成を示す。同図に示したように、実施例４の非接触読取書込装置１００は、アンテナ基板固定用台４５ａを内側に可撓性を有するＵ字型とし当該底部近傍に内側爪部を設け上部にネジ孔を設け、アンテナ基板固定用支柱４５ｂにスライド孔４５ｃを設け、高さ調節ネジ４７をスライド孔４５ｃを介しアンテナ基板固定用台４５ａのネジ孔に取り付けられる構成となっている。
【００２６】
なお、アンテナ基板固定用台４５ａは、低コスト化や爪部に可撓性を有させるために成型品とするのがよい。その他の構成は実施例１の構成と同様であるので、簡略化のために詳細な説明は省略する。
【００２７】
（動作）
以上の構成により実施例４の非接触読取書込装置は以下のように動作する。すなわち、アンテナ基板４をアンテナ基板固定用台４５ａの可撓性を有した爪部によりアンテナ基板固定用台４５ａに固定し、高さ調節ネジ４７を弛め、アンテナ基板固定用台４５ａを図７右側の矢印Ｂ方向にスライドしてアンテナ基板固定用台４５ａを上下に移動してアンテナ基板４と非接触ＩＣカード１との距離Ｌａを調節し、高さ調節ネジ４７により固定する。
【００２８】
（実施例４の効果）
以上のように実施例４の非接触読取書込装置によれば、アンテナ基板固定用台にアンテナ基板を固定する爪部と高さ調節ネジを取付けるネジ孔を備え、アンテナ基板固定用支柱にスライド孔を設け、アンテナ基板と非接触ＩＣカードとの距離を連続的に調節して設定できるようにしたので、実施例３の効果と同様、感度が異なる非接触ＩＣカードであっても最適な通信距離にて安定した通信を行うことができ、かつ小型化、低コスト化および低ノイズ化が可能となる。また、簡単な構成となっているので通信距離を調節して設定するときに工具を必要としない。
【実施例５】
【００２９】
（構成）
図８に実施例５の非接触読取書込装置１００の構成を示す。同図に示したように、実施例５の非接触読取書込装置１００では、アンテナ基板固定用支柱５５ｂにアンテナ固定部品６の両端を差し込むアンテナ基板固定用スリット５５ｓを設け、搬送ガイド２ａに設けた固定台５７ｂに固定ネジ５７ａにて固定する偏心した円筒形状の高さ調節部品５７を備え、高さ調節部品５７の取付け角度を変えてアンテナ基板４と非接触ＩＣカード１との距離Ｌａを調節できるようにした構成となっている。その他の構成は実施例１の構成と同様であるので、簡略化のために詳細な説明は省略する。
【００３０】
高さ調節部品５７や固定ネジ５７ａ、固定台５７ｂはプラスチックなどの非金属材料とするのがよく、アンテナ固定部品６の材質もプラスチック板などの非金属の弾性材料とするのがよい。
【００３１】
（動作）
以上の構成により実施例５の非接触読取書込装置は以下のように動作する。すなわち、両端をアンテナ基板固定用スリット５５ｓに差し込まれたアンテナ基板固定部品と、高さ調節部品５７との間にアンテナ基板４を置き、図９に示したように、高さ調節部品５７の取付け角度を変えて、アンテナ基板４と非接触ＩＣカード１との距離Ｌａを調節し、固定ネジ５７ａにて固定する。
【００３２】
このとき、アンテナ固定部品６の材質はプラスチック板などの非金属の弾性材料となっているので、アンテナ基板４の上下に応じて変形する。
【００３３】
（実施例５の効果）
以上のように実施例１の非接触読取書込装置によれば、アンテナ基板固定用支柱にアンテナ固定部品の両端を差し込むアンテナ基板固定用スリットを設け、搬送ガイドの固定台に固定ネジにて固定される偏心した円筒形状の高さ調節部品を備え、アンテナ基板と非接触ＩＣカードとの距離を連続的に調節して設定できるようにしたので、実施例３および実施例４の効果と同様、感度が異なる非接触ＩＣカードであっても最適な通信距離にて安定した通信を行うことができ、かつ小型化、低コスト化および低ノイズ化が可能となる。
【実施例６】
【００３４】
（構成）
図１０に実施例６の非接触読取書込装置１００の構成を示す。同図に示したように、実施例５の非接触読取書込装置１００では、アンテナ基板固定用支柱６５ｂにアンテナ固定部品６の両端を差し込むアンテナ基板固定用スリット６５ｓを設け、搬送ガイド２ａ上に所定の厚さの高さ調節部品６７を重ねて備え、アンテナ基板４と非接触ＩＣカード１との距離Ｌａを調節できるようにした構成となっている。その他の構成は実施例１の構成と同様であるので、簡略化のために詳細な説明は省略する。
【００３５】
高さ調節部品６７はプラスチックなどの非金属材料であり、アンテナ固定部品６５の材質はプラスチック板などの非金属の弾性材料とするのがよい。
【００３６】
（動作）
以上の構成により実施例６の非接触読取書込装置は以下のように動作する。すなわち、両端をアンテナ基板固定用スリット６５ｓに差し込まれたアンテナ基板固定部品６と、高さ調節部品６７との間にアンテナ基板４を置き、高さ調節部品６７の枚数を変えて、アンテナ基板４と非接触ＩＣカード１との距離Ｌａを調節する。
【００３７】
このとき、アンテナ固定部品６の材質はプラスチック板などの非金属の弾性材料となっているので、アンテナ基板４の上下に応じて変形する。
【００３８】
（実施例６の効果）
以上のように実施例１の非接触読取書込装置によれば、アンテナ基板固定用支柱にアンテナ固定部品の両端を差し込むアンテナ基板固定用スリットを設け、搬送ガイド上に所定の厚さの高さ調節部品を備え、アンテナ基板と非接触ＩＣカードとの距離を段階的に調節して設定できるようにしたので、実施例１および実施例２の効果と同様、感度が異なる非接触ＩＣカードであっても適切な通信距離にて安定した通信を行うことができ、かつ小型化、低コスト化および低ノイズ化が可能となる。また、簡単な構成となっているので通信距離を調節して設定するときに工具を必要としない。
【産業上の利用可能性】
【００３９】
以上述べたように、本発明は、非接触ＩＣカードや非接触ＩＣタグとの間でデータの送受信を行いデータの読出しおよび書込みを行う非接触読取書込装置に広く用いることができる。
【符号の説明】
【００４０】
１    非接触ＩＣカード
２ａ、２ｂ  搬送ガイド
３    搬送ローラ
４    アンテナ基板
５ａ、１５ａ、２５ａ、３５ａ、４５ａ  アンテナ基板固定用台
５ｂ、１５ｂ、２５ｂ、４５ｂ、５５ｂ、６５ｂ  アンテナ基板固定用支柱
５ｓ  アンテナ基板固定用スリット
６    アンテナ基板固定用部品
３７、４７  高さ調節ネジ
４５ｃ  スライド孔
１００  非接触読取書込装置
Ｌａ  非接触ＩＣカードとアンテナ基板間の距離
【図１】
0005450197.tif 000002
【図２】
0005450197.tif 000003
【図３】
0005450197.tif 000004
【図４】
0005450197.tif 000005
【図５】
0005450197.tif 000006
【図６】
0005450197.tif 000007
【図７】
0005450197.tif 000008
【図８】
0005450197.tif 000009
【図９】
0005450197.tif 000010
【図１０】
0005450197.tif 000011